(57)【要約】【課題】軒裏野縁に対する取付施工を簡易なものとし、軒裏と外壁の間を外観良く納めるのみならず、軒天井材の支持を補助するとともに、汎用性を高めてコストダウンを図ることのできる軒裏見切の構造を提案する。【解決手段】軒天井板２と略水平方向に配置され通気孔６６・６６・・・が形成された基板部６２と、該基板部６２とに対して略直角方向に起立した起立部６１とで横断面略Ｌ字状に形成した見切本体６と、上板部５１、中板部５３及び下板部５２で横断面略コ字状に形成され、上板部５１を軒裏野縁３に固定した取付具５とを、嵌合可能に形成し、少なくとも二箇所の係止部を設けた。前記取付具５に軒天井板２の外壁４側への移動を規制するストッパ５７を設け、また、上板部５１と、下板部５２に形成されその上面が曲面で形成された突起５４とで軒天井板２を挟持可能な構成とした。さらに、見切本体６と外壁４にスポンジ体７を介設した。【選択図】　　　図２
2004027497.tif 000002
【特許請求の範囲】
【請求項１】
軒裏野縁または軒先野縁に取り付けられる取付部材に嵌合される軒裏見切であって、取付部材を上板部、中板部及び下板部とにより横断面略コ字状に形成し、軒裏見切を、通気孔が形成された基板部と、該基板部端より略直角方向に起立し中途部にクランクを形成した起立部とで横断面略Ｌ字状に形成し、前記中板部と下板部に面して起立部と基板部を嵌合可能に形成したことを特徴とする軒裏見切。
【請求項２】
前記取付部材に軒天井板の外壁側への移動を規制するストッパを設けたことを特徴とする請求項１に記載の軒裏見切。
【請求項３】
前記下板部上面に軒天井板挟持突起を設けたことを特徴とする請求項１に記載の軒裏見切。
【請求項４】
前記起立部に隙間埋め部材を保持する凹部を形成したことを特徴とする請求項１に記載の軒裏見切。
【発明の詳細な説明】
【０００１】
【発明の属する技術分野】
本発明は、軒裏と外壁の間に沿って設けられる軒裏見切に関する。
【０００２】
【従来の技術】
従来、住宅の軒構造として、外壁の外方に所定の間隔を隔てて軒天井を設け、外壁と軒天井との間に軒裏野縁等に固定した軒裏見切を配設し、該軒裏見切に通気孔を設けることにより屋外の空気を該通気孔を介して軒裏空間へ導入できるようにしたものがある。
上述の機能を有する軒裏見切には、その取付施工を簡易なものとするために、軒裏野縁等に取付具を介して軒裏見切の見切本体を取り付ける構造のものが提案されている。例えば、特開平１１−２５６７５４号公報や特開２００１−２４８２６１号公報に記載の技術である。
【０００３】
【発明が解決しようとする課題】
上述の従来技術に鑑み、本発明では、軒裏野縁に対する取付施工を簡易なものとし、軒裏と外壁の間を外観良く納めるのみならず、軒天井材の支持を補助するとともに、汎用性を高めてコストダウンを図ることのできる軒裏見切の構造を提案する。
【０００４】
【課題を解決するための手段】
本発明の解決しようとする課題は以上の如くであり、次にこの課題を解決するための手段を説明する。
【０００５】
即ち、請求項１においては、軒裏野縁または軒先野縁に取り付けられる取付部材に嵌合される軒裏見切であって、取付部材を上板部、中板部及び下板部とにより横断面略コ字状に形成し、軒裏見切を、通気孔が形成された基板部と、該基板部端より略直角方向に起立し中途部にクランクを形成した起立部とで横断面略Ｌ字状に形成し、前記中板部と下板部に面して起立部と基板部を嵌合可能に形成したものである。
【０００６】
請求項２においては、前記取付部材に軒天井板の外壁側への移動を規制するストッパを設けたものである。
【０００７】
請求項３においては、前記下板部上面に軒天井板挟持突起を設けたものである。
【０００８】
請求項４においては、前記起立部に隙間埋め部材を保持する凹部を形成したものである。
【０００９】
【発明の実施の形態】
次に、発明の実施の形態を説明する。
図１は本発明の一実施例に係る軒裏見切を設けた軒の全体的な構成を示した図、図２は軒裏見切の構造を示す側面図、図３は同じく平面図、図４は同じく斜視図である。
図５は取付具と見切本体との嵌合の様子を示す側面図、図６は取付具の別形態を示す側面図、図７は外壁との間にスポンジ体を介設した軒裏見切の様子を示す側面図、図８は勾配のある軒において外壁との間にスポンジ体を介設した軒裏見切の様子を示す側面図である。
図９は侵入防止体を設けた軒裏見切を示す側面図、図１０は同じく平面図である。
【００１０】
まず、本発明に係る軒裏見切１の配置される軒の状態について説明する。但し、本発明は本実施例の軒の形態に限定されるものではない。また、本実施例では軒裏見切を設ける軒を勾配のない平軒としているが、勾配のある軒とすることもできる。
図１に示す如く、住宅の外壁４の上方には、屋根側から軒先側に向けて斜め下向きに傾斜したトラス１６が配置され、該トラス１６上には野地板１８と、瓦等の屋根葺き材１７とを備えた屋根１９が配置されている。トラス１６の軒先側の端部には、外壁４と平行に軒先母屋２０が固定されている。
一方、外壁４の外方の近接位置には、野縁受けプレート２２を介して軒裏野縁３が外壁４と平行に支持されている。そして、軒裏野縁３と軒先母屋２０間に、該軒裏野縁３と直交するように軒先野縁１１が配置され、これら軒裏野縁３、軒先野縁１１、軒先母屋２０の下面に軒天井板２が配設されている。
軒天井板２の軒先側の先端部は鼻隠し板２１により覆われるとともに、軒天井板２の内方端と、外壁４との間には所定の間隙が設けられ、ここに軒裏見切１が配置されている。該軒裏見切１は外壁４に沿って、その幅方向に延びている。
【００１１】
前記軒裏見切１は、見切本体６と該見切本体６を軒裏野縁３や軒先野縁１１等の間に取り付けるための取付具５で構成されている。該取付具５は軒天井板２の支持機能と見切本体６の支持機能を併せ持っている。
また、軒裏見切１は、軒裏と外壁４との間を美しく納めるとともに、軒裏空間１５への通気路１０形成のためのものである。
【００１２】
図２、図４及び図５に示す如く、見切本体６は、横断面略Ｌ字状に形成され、軒天井板２に対して略平行に設けられた露出部分である基板部６２と、基板部６２と一体的に形成され該基板部６２より略直角方向に起立した板状に形成された起立部６１が設けられている。そして、見切本体６は、その起立部６１が軒天井板２と外壁４の間に介在するよう配設され、該起立部６１は外壁４と近接し且つ軒天井板２とは幾分離間するよう配置されている。
【００１３】
前記基板部６２には、起立部６１側と反対側の端部にリブ６９が形成され、さらに、該リブ６９と基板部６２とが交差する内側部分に取付具５の係止突起５５と係止するための係止溝６３が長手方向に形成されている。
また、基板部６２には、軒裏空間１５の換気を行うため外部空間と軒裏空間１５とを連通させる通気孔６６・６６・・・が、複数設けられている。従って、該通気孔６６・６６・・・から、軒天井板２と見切本体６の起立部６１との間を通って軒裏空間１５へ至る通気路１０が形成される。
【００１４】
上述の如く形成された換気用通気路１０は、略直線的であり複雑に曲折した経路とならないため、見切本体６を形成する材料が少量で済みコストダウンと軽量化が図れるうえ、実運用上での換気量が確保しやすい形状となる。
なお、本実施例では、前記通気孔６６は長孔状であって、見切本体６の基板部６２に並列して複数設けられて、軒天井板２と外壁４との間に配設された見切本体６としての意匠を損ねることのないようにデザインが施されている。
【００１５】
一方、見切本体６の起立部６１は、その上部が外壁４側へ突出するよう途中で折れ曲がるクランク状に段差が形成され、上端に取付具５の係止片５６と係合するための係止爪６５が形成される。該係止片５６は前記折れ曲がりにより軒天井板２側への突出が小さくなり狭い隙間に挿入し易くしている。さらに、起立部６１をクランク状とすることで該起立部６１の弾性を高めて取付具５への取付施工時に該取付具５の下方からの取付を容易にしている。
また、係止爪６５の下方で外壁４側に凸となる突起６４が設けられている。該突起６４によって、外壁４に対し起立部６１が略平行に取り付けられるようにするとともに、起立部６１の中途部に形成された段差と突起６４とにより壁側が開放された凹部が形成されて、該凹部に後述する隙間埋め部材となるスポンジ体７を良好に保持することができるようにしている。
【００１６】
図３乃至図５に示す如く、前記取付具５は、該取付具５を介して前記見切本体６を軒裏野縁３に取り付け可能とするとともに、軒天井板２の一側端部を支持可能に構成されている。
取付具５は断面略コ字状であって、軒天井板２に対して略平行に設けられた板状部材である上板部５１及び下板部５２と、該上板部５１及び下板部５２を連結し且つ上板部５１及び下板部５２に対して略直角方向に設けられた中板部５３が形成され、これら上板部５１、下板部５２及び中板部５３は一体的に構成されている。
【００１７】
取付具５の上板部５１は、下板部５２よりも軒天井板２側へ延出され、取付具５を軒裏野縁３に取り付けるための取付部材１２・１２を挿入する複数の挿入孔５８・５８が設けられている。
前記取付具５の中板部５３には、前記見切本体６に形成された係止爪６５と係合する係止片５６と、見切本体６の起立部６１と中板部５３とを程よく離間する外壁４側へ凸である突起が一体的に形成されている。
【００１８】
また、下板部５２には上方に突出した形状の軒天井板挟持突起５４と前記見切本体６を係止する係止突起５５が形成されて、前記軒天井板挟持突起５４と上板部５１との間に挿入された軒天井板２の側端縁を上下より挟持し得るように構成されている。なお、該軒天井板挟持突起５４上面の軒天井板２が保持されるときの当接部は略平面状であるが、該当接部以外は曲面状に形成されて、軒天井板が容易に挿入できるようにするとともに、挿入時に軒天井板に傷が付くことを防止している。
上述の如く、前記軒天井板挟持突起５４を設けて軒天井板を支持することによって、特に、支持間隔が広い軒天井板２において発生しがちである軒天井板２の中央部での撓みを抑制している。
さらに、前記係止突起５５は、取付具５の下板部５２の縁に沿って形成された断面略円状の突起であり、すなわち、該係止突起の表面が曲線で形成されている。従って、見切本体６を取付具５に嵌合させようとする際に、該見切本体６のリブ６９は該係止突起５５の表面を滑って移動することが可能となる。
【００１９】
また、前記取付具５には、軒天井板２の一側側部を当接するためのストッパ５７が設けられている。該ストッパ５７は取付具５の上板部より下方に垂設された板状突起であり、本実施例では上板部に一体的に形成されている。但し、ストッパ５７の形状はこれに限定されるものでなく、例えば、取付具５に溶接固定したものであったり、ピン状の突起であったりしても構わない。
軒天井板２取付施工時には、前記軒天井板挟持突起５４と上板部５１との間に挿入された軒天井板２の外壁４側端面がストッパ５７に当接させることによって、軒天井板２の設置位置の決定が容易となり、さらに、柄の付けられた軒天井板２を採用するときには、隣接する軒天井板２同士の柄が連続するよう精密な位置合わせを簡易に行うことができ、作業性を向上する。また、軒天井板２の外壁４側面を規制することにより、軒天井板２をより良好に保持することができるようになる。
【００２０】
そして、上述の如く構成された軒裏見切１の取付施工の際には、まず、取付部材１２・１２・・・を取付具５・５・・・の上板部に設けられた挿入孔５８・５８・・・の下方から螺入して軒裏野縁３に取付具５・５・・・を固定する。取付具５・５・・・は略等間隔に設けるようにする。
次に、上述の如く軒裏野縁３に固定した取付具５・５・・・の下方から見切本体６を押し当てて押圧すると、図５に示す如く、見切本体６が弾性変形することによって、該見切本体６を取付具５との係止位置まで移動可能となり、そして、取付具５の係止片５６に見切本体６の係止爪６５が係合し、また、取付具５の係止突起５５と見切本体６の係止溝６３とが係合し、取付具５・５・・・に見切本体６が係止される。
なお、取付具５に見切本体６を嵌合させたのち、該取付具５を軒裏野縁３に取り付けるようにすることもできるが、軒天井板２を取り付けたあとで見切本体６を取付具５・５・・・に取り付ければ、軒天井板２の取付施工時に見切本体６に傷を付ける恐れがない。
【００２１】
上述の如く取付施工する軒裏見切１では、取付具５と見切本体６とを別体に構成し、軒裏野縁３に取付具５・５・・・を介して見切本体６を取り付けることによって、施工を簡易にするとともに、取付具５及び見切本体６の汎用性を高めてコストの削減に寄与している。さらに、取付具５及び見切本体６の個々の形状が複雑とならず、製品加工の簡略化によりコストの削減を図ることができる。
【００２２】
例えば、軒天井板２や外壁４の色に応じて、また、顧客の要望に応じて、住宅ごとに軒裏見切１の意匠を変更できることは、好ましい。これに対応するため、同一形状の取付具を大量生産し、意匠（例えば、色や質感、通気孔の形状等）の異なる見切本体６を注文生産すれば、顧客に対し軒裏見切をバラエティ豊かに提案することができ、しかも、取付具５が共用できるためコストを抑えることができる。
【００２３】
さらに、一戸の住宅であって、同一形状の見切本体６を取り付ける際であっても、軒裏の形状により、取付具５の取り付けが困難な箇所が生じることがある。これに対応するため、取付具５の取り付け場所に応じて異なる形状の取付具５を用いれば、施工を簡易にすることができ、また、取付具５の取り付けのために最適な状態を選択することが可能となる。
例えば、図６に示す如く、取付具５の上面部に、起立部５１ａを設けて、該起立部５１ａに該取付具５を軒裏野縁３に取り付けるための取付部材１２・１２を螺入する挿入孔５８・５８を設けることもできる。
【００２４】
また、上述の如く構成され取付施工される軒裏見切１では、見切本体６及び取付具５の形状を変化させることなく、凹凸の形成された外壁４にも対応することが可能である。
図７に示す如く、見切本体６の起立部６１に形成された突起６４と段差面とにより形成された凹部に隙間埋め部材であるスポンジ体７を嵌合固定して、該スポンジ体７を見切本体６と外壁４に介設することにより、見切本体６と外壁４との間に形成された間隙を閉塞して外観良く仕上げることができるようにしている。そして、隙間埋め部材としてスポンジ体７を用いることにより、外壁４の表面の凹凸に沿って該スポンジ体７が変形するので、外壁４と見切本体６の間隙の形状が不規則であっても、良好に美観を損ねることなく閉塞することができる。さらに、起立部６１の凹部にスポンジ体７を嵌合することで、該スポンジ体７の簡易な位置決め及び良好な保持が可能となる。
【００２５】
さらに、図８に示す如く、勾配のある軒裏であっても、見切本体６と外壁４の間にスポンジ体７を介設することによって、見切本体６と外壁４の間に生じる間隙を簡易且つ美観良く閉塞することができる。従って、勾配のある軒裏にも平軒と同一形状の見切本体６及び取付具５を用いることができ、また、軒裏見切１の施工時に見切本体６と外壁４の間の離間距離が正確でなくとも美観良く軒天井板２と外壁４との間を納めることができる。
【００２６】
そして、上述の如く構成された軒裏見切１では、軒裏空間１５への雪の吹き込みや小動物の侵入の防止のための構造をとることができる。
軒天井板２の外壁４側側端縁と、見切本体６又は取付具５との間には、換気用の通気路１０が確保されているが、ここが軒裏空間１５への雪の吹き込みや小動物の侵入経路となることがある。そこで、見切本体６に設けられた通気孔の上方に侵入防止体８を設けることができるようにしている。
【００２７】
図９及び図１０に示す如く、軒裏野縁３に略等間隔に取り付けられた取付具５の、中板部５３とストッパ５７との間に位置するよう、上板部５１に侵入防止体８の支持部５９が垂設されている。該支持部５９は、各取付具５に少なくとも二カ所ずつ設けられて、隣接する取付具５・５に形成された支持部５９・５９に侵入防止体８を架設するようにしている。
前記侵入防止体８は、多数の針（毛）状突起が設けられたタワシ状のものである。雪が見切本体６に形成された通気孔６６・６６・・・を通って軒裏空間１５へ吹き込もうとするときに、侵入防止体８の突起に当接することにより液体となって、軒裏空間１５まで到達することができない。なお、突起を針状とすることで、通気路１０を確保するとともに、雪の当接により発生した液体が軒裏より落下する際に液滴が大きくなることを抑制している。
また、小動物が見切本体６に形成された通気孔６６・６６・・・を通って軒裏空間１５へ侵入しようとするときに、侵入防止体８により行く手を阻まれて軒裏空間１５に侵入することができない。
なお、侵入防止体の形状は本実施例に限定されるものでなく、例えば、網目状のプレートとしたり、羽根の設けられたブラインド状のもとしたりとすることもできる。
【００２８】
【発明の効果】
本発明は、以上のように構成したので、以下に示すような効果を奏する。
【００２９】
即ち、請求項１に示す如く、軒裏野縁または軒先野縁に取り付けられる取付部材に嵌合される軒裏見切であって、取付部材を上板部、中板部及び下板部とにより横断面略コ字状に形成し、軒裏見切を、通気孔が形成された基板部と、該基板部端より略直角方向に起立し中途部にクランクを形成した起立部とで横断面略Ｌ字状に形成し、前記中板部と下板部に面して起立部と基板部を嵌合可能に形成したので、軒裏見切の施工が簡易となる。
【００３０】
請求項２に示す如く、前記取付部材に軒天井板の外壁側への移動を規制するストッパを設けたので、軒天井板の位置決めが簡易となる。
【００３１】
請求項３に示す如く、前記下板部上面に軒天井板挟持突起を設けたので、軒天井板の撓みを抑制し、軒天井板の取付施工を簡易なものとできる。
【００３２】
請求項４に示す如く、前記起立部に隙間埋め部材を保持する凹部を形成したので、凹部に隙間埋め部材を嵌合して簡易な位置決め及び良好な保持が可能となるとともに、軒裏見切と外壁との間隙を隙間埋め部材で外観良く閉塞することができる。
【図面の簡単な説明】
【図１】本発明の一実施例に係る軒裏見切を設けた軒の全体的な構成を示した図。
【図２】軒裏見切の構造を示す側面図。
【図３】同じく平面図。
【図４】同じく斜視図。
【図５】取付具と見切本体との嵌合の様子を示す側面図。
【図６】取付具の別形態を示す側面図。
【図７】外壁との間にスポンジ体を介設した軒裏見切の様子を示す側面図。
【図８】勾配のある軒において外壁との間にスポンジ体を介設した軒裏見切の様子を示す側面図。
【図９】侵入防止体を設けた軒裏見切を示す側面図。
【図１０】同じく平面図。
【符号の説明】
１　軒裏見切
２　軒天井板
３　軒裏野縁
４　外壁
５　取付具
６　見切本体
７　スポンジ体
１１　軒先野縁
５１　上板部
５２　下板部
５３　中板部
５４　軒天井板挟持突起
５７　ストッパ
６１　起立部
６２　基板部
６６　換気孔
【図１】
2004027497.tif 000003
【図２】
2004027497.tif 000004
【図３】
2004027497.tif 000005
【図４】
2004027497.tif 000006
【図５】
2004027497.tif 000007
【図６】
2004027497.tif 000008
【図７】
2004027497.tif 000009
【図８】
2004027497.tif 000010
【図９】
2004027497.tif 000011
【図１０】
2004027497.tif 000012